(57)【要約】【課題】ハンドル台座を室内側から遮蔽することで意匠性の良いサッシを提供する。【解決手段】本発明にかかるサッシ１は、枠体３と、開き障子５とを備え、枠体３は開き障子５の戸先框２１の室内側に設けた室内側枠部１５を有し、開き障子５は、戸先框２１の室内側見付面に固定したハンドル台座３７を有し、ハンドル台座３７に取付けたハンドル２９は、室内側枠部１５の内周側に延出してあり、室内側枠部１５でハンドル台座３７を室内側から遮蔽している。【選択図】図１
2018131859.tif 000002
【特許請求の範囲】
【請求項１】
枠体と、開き障子とを備え、枠体は開き障子の戸先框の室内側に設けた室内側枠部を有し、開き障子は、戸先框の室内側見付面に固定したハンドル台座を有し、ハンドル台座に取付けたハンドルは、室内側枠部の内周側に延出してあり、室内側枠部でハンドル台座を室内側から遮蔽していることを特徴とするサッシ。
【発明の詳細な説明】
【技術分野】
【０００１】
本発明は、サッシに関する。
【背景技術】
【０００２】
特許文献１には、開き障子のハンドル台座を戸先框の室内側見付面に設けたサッシが開示されている。
【先行技術文献】
【特許文献】
【０００３】
【特許文献１】特開２００５−２５６３８６号公報
【発明の概要】
【発明が解決しようとする課題】
【０００４】
しかし、ハンドル台座が室内側から見えるので、ハンドル台座を見えなくしたいという要求があった。
【０００５】
そこで、本発明は、ハンドル台座を室内側から遮蔽することで意匠性の良いサッシの提供を目的とする。
【課題を解決するための手段】
【０００６】
請求項１に記載の発明は、枠体と、開き障子とを備え、枠体は開き障子の戸先框の室内側に設けた室内側枠部を有し、開き障子は、戸先框の室内側見付面に固定したハンドル台座を有し、ハンドル台座に取付けたハンドルは、室内側枠部の内周側に延出してあり、室内側枠部でハンドル台座を室内側から遮蔽していることを特徴とするサッシである。
【発明の効果】
【０００７】
請求項１に記載の発明によれば、ハンドル台座を室内側枠部で遮蔽するので、ハンドル台座が室内側から見えないから、室内側からの意匠性が良い。
【図面の簡単な説明】
【０００８】
【図１】本発明の第１実施の形態にかかるサッシであって、（ａ）は開き障子を閉じた状態における枠体及び開き障子の戸先側を示す横断面図、（ｂ）は（ａ）の戸先框を抜き出して示す横断面図、（ｃ）はロックピンとロックピン係合金具との関係を示す図であり、ロックピン係合金具を戸先側縦枠の内周側から見た側面図である。
【図２】図１に示すサッシの戸先側部分を内周側から見た側面図である。
【図３】ハンドルカバーの図であり、（ａ）は室内側枠部におけるハンドルカバーの配置を示す横断面図、（ｂ）は（ａ）を内周側から見た側面図、（ｃ）はハンドルカバーを室外側からみた背面図、（ｄ）は（ｃ）の平面図、（ｅ）はハンドルカバーを内周側から見た側面図、（ｆ）は（ｅ）の平面図、（ｇ）はハンドルカバーの展開図、（ｈ）は（ｇ）の平面図、（ｉ）は（ｅ）に示すＤ−Ｄ断面図、（ｊ）は（ｅ）に示すＣ−Ｃ断面図、（ｍ）は（ｇ）に示すＡ−Ａ断面図、（ｋ）は（ｇ）に示すＢ−Ｂ断面図である。
【図４】図１（ｂ）に示す戸先框を外周側から見た側面図である。
【図５】作動片、連結材及びスライダを抜き出して示す図であり、（１-ａ）は作動片を正面側にした平面図、（１-ｂ）はスライダを正面側にした平面図、（２-ａ）〜（４-ａ）は作動片の動き毎に（１-ａ）の作動片を正面側から見た図、（２-ｂ）〜（４-ｂ）は作動片の動き毎に（１-ｂ）の連結材を内周側から見た図である。
【図６】本発明の第１実施の形態にかかるサッシを室内側から見た正面図である。
【図７】第２実施の形態にかかるサッシに用いられる錠装置であって、ハンドル軸係合部、作動片、連結材及びハンドル裏板を取付けた状態を示す図であり、（ａ）は内周側から見た側面図、（ｂ）は（ａ）の平面図、（ｃ）は室内側から見た正面図、（ｄ）は（ｃ）の平面図である。
【図８】第３実施の形態にかかるサッシに用いられる錠装置であって、ハンドル軸係合部、作動片及び連結材を取付けた状態を示す図であり、（ａ）は内周側から見た側面図、（ｂ）は（ａ）の平面図、（ｃ）は室内側から見た正面図、（ｄ）は（ｃ）の平面図である。
【図９】第３実施の形態にかかるサッシに用いられる錠装置であって、ハンドル軸係合部と、作動片と、連結材及びスライドを抜き出して示す図であり、（１-ａ）は作動片を正面側にした平面図、（１-ｂ）はスライダを正面側にした平面図、（２-ａ）〜（４-ａ）は作動片の動き毎に（１-ａ）の作動片を正面側から見た図、（２-ｂ）〜（４-ｂ）は作動片の動き毎に（１-ｂ）の連結材を内周側から見た図である。
【図１０】第３実施の形態にかかるサッシの戸先框であって、（ａ）は作動片に連結材を取付ける前の状態を外周側から見た側面図、（ｂ）は作動片に連結材を取付けると共にハンドル及びハンドル台座を取付けた状態を外周側から見た側面図である。
【発明を実施するための形態】
【０００９】
以下に、添付図面を参照して本発明の実施の形態を説明するが、まず、図１〜６を参照して本発明の第１実施の形態について説明する。  
図６に示すように、第１実施の形態にかかるサッシ１は、断熱たて辷り出しサッシであり、枠体３と、開き障子５と、グレモン錠６を備えている。  
枠体３は、上枠７と、下枠９と、戸先側縦枠１１と、吊元側縦枠１２を組んであり、図１に示すように、戸先側縦枠１１は、金属製の室外側枠部１３と樹脂製の室内側枠部１５で構成してある。尚、図示を省略するが、上枠７、下枠９及び吊元側縦枠１２も戸先側縦枠１１と同様に、金属製の室外側枠部１３と樹脂製の室内側枠部１５で構成してある。  
図６に示すように、開き障子５は、上框１７と、下框１９と、戸先框２１と、吊元框２２を組んであり、図１に示すように、戸先框２１は金属製の室外側框部２５と樹脂製の室内側框部２７とで構成してある。尚、図示を省略するが、上框１７、下框１９及び吊元框２２も金属製の室外側框部２５と樹脂製の室内側框部２７とで構成してある。  
【００１０】
図１に示すように、グレモン錠６は、グレモンハンドル（以下単に「ハンドル」という）２９と、ロックピン３１と、スライダ３３と、ロックピン３１の係合金具３５とを備えている。  
ハンドル２９は、その基部２９ａにハンドル台座３７が設けてあり、ハンドル台座３７からハンドル軸４１が突設されている。ハンドル台座３７は、戸先框２１の室内側見付面に固定してある。ハンドル軸４１は、ハンドル軸受け３２に嵌合されている。また、図１（ｂ）に示すように、ハンドル２９のハンドル台座３７に取付ける基部２９ａは、ハンドル台座３７の室内側に重ねて取付けてある。  
ロックピン３１は、スライダ３３に固定してあり、ロックピン３１の頭３１ａを戸先側縦枠１１に向けて外周側に突出している。  
スライダ３３は、戸先框２１の室外側框部２５に設けたガイド部３９に案内されて上下自在に設けてある。ガイド部３９は、金属製の室外側框部２５に一体に形成してあり、戸先框２１の見込方向略中央に位置している。  
係合金具３５は、図１（ａ）及び（ｃ）に示すように、戸先側縦枠（枠）１１の内周側面でスライダ３３に対応する位置に設けてあり、スライダ３３と共に上方へ向けて移動してきたロックピン３１の頭３１ａを係合する。  
【００１１】
スライダ３３は、作動片４３及び連結材４５を介してハンドル２９の回動に連動して上下動する。  
図５（２−ａ）〜（４−ａ）に示すように、ハンドル２９の回動軸４１は、角軸であり、角軸がハンドル軸受け３２の角孔に嵌め込まれている。ハンドル軸受け３２には、作動片４３が一体に連結してある。  
図１（ａ）（ｂ）に示すように、作動片４３は戸先框２１の外周面２１ａから外周側に突出して設けてある。また、スライダ３３には戸先框２１の見込み方向室内側に突出する連結材４５が取付けてある。図５（３−ａ）及び（３−ｂ）に示すように、連結材４５には作動片４３の挿通孔４５ａが形成してあり、挿通孔４５ａに挿通してある作動片４３の先端部は折り曲げて抜け止め部４３ａを形成しており、作動片４３と連結材４５とは離脱不能に連結している。抜け止め部４３ａは、互い違いに折り曲げた２つの折り曲げ片４４で構成してある。  
図５（２−ａ）〜（４−ａ）に示すように、連結材４５の挿通孔４５ａには作動片４３が遊嵌してあり、挿通孔４５ａは作動片４３が上下に回動可能な大きさに形成されている。  
尚、図１（ａ）（ｂ）に示すように、戸先框２１にはハンドル台座３７を取付ける裏板４７が設けてあり、裏板４７は室外側框部２５にねじ固定されている。  
【００１２】
次に、戸先側縦枠１１の室内側枠部１５について説明する。  
図１（ａ）に示すように、戸先側縦枠１１の室内側枠部１５は、室外側枠部１３の室内側に固定して、戸先框２１の室内側に設けてある。  
室内側枠部１５には、室外側を開口した溝４９が上下に亘って形成されている。  
図２及び図１（ａ）に示すように、溝４９には戸先框２１のハンドル台座３７に対向する位置にハンドルカバー５１が収納されている。図２及び図３（ａ）に示すように、ハンドルカバー５１の上下には、溝４９内に配置して溝４９の開口を塞ぐ蓋部材５３が取付けてある。  
室内側枠部１５には、溝４９の外周側に、戸先框２１の室内側框部２７に当接する気密材４８が取付けてある。  
【００１３】
図３（ｄ）（ｃ）に示すように、ハンドルカバー５１は、天壁５１ａ及び底壁５１ｄが平面視矩形を成しており、図３（ｃ）に示すように、天壁５１ａと底壁５１ｄの間には内周側壁５１ｂと室内側壁５１ｃのみが設けてあり、室外側及び内周側が開口した凹状としてある。図３（ｂ）（ｅ）に示すように、ハンドルカバー５１の内周側壁５１ｂには、室外側面を開口とした欠損部５５が形成されており、欠損部５５にはその縁部にカバー材５７が取付けてある。カバー材５７は弾性シートであり、例えば、エチレンプロピレンゴム（ＥＰＤＭ）シートで、ハンドル挿通用の切り込み５９を室外側端５９ａから放射状に形成してある。尚、カバー材５７の厚みは０．５〜１ｍｍである。  
図３（ｉ）（ｊ）に示すように、内周側壁５１ｂは、外壁６１と内壁６３を重ねて形成してある。図３（ｇ）に展開図を示すように、外壁６１には嵌合部６４ａが設けてあり、内壁６３に設けた被嵌合部６４ｂを嵌合して重ねてある。  
カバー材５７は、その周辺部を外壁６１と内壁６３とで挟んでいると共に、カバー材５７に設けた係止孔を外壁６１の嵌合部６４ａに挿入して止めてある。  
尚、天壁５１ａ及び底壁５１ｄには、それぞれ対応する蓋部材５３を係合する係合片５４が設けてある。  
【００１４】
ここで、カバー材５７の取付けについて説明する。  
図３（ｇ）に示すように、内周側壁５１ｂには内壁６３と外壁６１とが一体に形成してあり、展開した状態では内壁６３と外壁６１とに亘る四角形状の孔５５ａが形成してある。  
その後、図３（ｅ）（ｉ）（ｊ）に示すように、外壁６１の嵌合部６４ａにカバー材５７の係止孔を挿入してカバー材５７を外壁６１に止めた後、外壁６１に対して内壁６３を折り曲げて重ねる。これにより、カバー材５７の周縁部を外壁６１と内壁６３で挟持する。  
【００１５】
次に、ハンドルカバー５１の作用について説明する。  
図１（ａ）及び図２に示すように、開き障子５を閉じると、戸先框２１は室内側枠部１５の室外側に重なった位置となる。この状態でハンドル２９の基部２９ａは、ハンドルカバー５１の凹部内に収納され、カバー材５７の切り込み５９によりカバー材５７を割ってハンドル２９が室内側枠部１５の内周側に延出して位置する。  
【００１６】
次に、グレモン錠６の組み立て、動作及び作用について説明する。  
まず、グレモン錠６の組み立てを図５（３-ａ）（３-ｂ）及び図１（ａ）を参照して説明する。図１（ａ）に示すように、作動片４３の先端を曲げて抜け止め部４３ａを形成する。次に、作動片４３の基端を連結材４５の挿通孔４５ａに挿通した後、ハンドル軸受け３２に固定する。ハンドル軸受け３２は裏板４７に対して回動自在に取付けてあり、ハンドル軸受け３２、作動片４３、連結材４５、裏板４７を一体化したユニットとする。  
戸先框２１の室内側框部２７において、室外側框部２５との取付部の一部を切除してユニット化した裏板４７とハンドル軸受け３２を室内側框部２７内に配置し、切除した部分から作動片４３及び連結材４５が外周側に飛び出した状態とする。その状態で、室内側框部２７を室外側框部２５に通し込んで室内側框部２７を室外側框部２５に取付け、裏板４７を室外側框部２５にねじで固定する。室内側框部２７の切除した部分は、スライダ３３のガイド部３９で遮蔽され、戸先框２１の外周側から見えない状態になる。  
次に、連結材４５をスライダ３３に連結する。  
その後、図２に示すように、ハンドル２９と回動軸４１とが一体にしてあるハンドル台座３７を裏板４７にねじで固定して、戸先框２１の室内側見付面に取付ける。このとき、角軸状の回動軸４１はハンドル軸受け３２の角孔に嵌め入れる。  
グレモン錠６の動作及び作用は、図５（４−ａ）に示すように、作動片４３が最下位置に回動した状態から、ハンドル２９の回動操作により、（３−ａ）に示す中間位置を通って、（２-ａ）に示す上方位置に回動する。この一連の作動片４３の動きに対応して連結材４５が下位置から上方に直線移動する。即ち、（４−ｂ）〜（２-ｂ）に示すように、連結材４５の移動により、スライダ３３は、下方位置から中間位置を通って上方位置へスライドする。これにより、図１（ｃ）に示すように、ロックピン３１が係合金具３５の下方位置から上方に移動し、二点鎖線で示すように係合金具３５に係合する。  
【００１７】
次に、第１実施の形態にかかるサッシ１の効果について説明する。  
図１及び図６に示すように、本実施の形態にかかるサッシ１によれば、開き障子５が閉じ状態にあるときには、ハンドル台座３７を室内側枠部１５で遮蔽するので、ハンドル台座３７が室内側から見えないから、室内側からの意匠性が良い。  
【００１８】
また、図２に示すように、室内側枠部１５にはハンドルカバー５１を設けて、ハンドル台座３７に取付けてあるハンドル２９の基部２９ａを収納しているので、ハンドル基部２９ａも遮蔽するから更に意匠性が良い。  
【００１９】
図２に示すように、ハンドル２９の基部２９ａをハンドルカバー５１の凹部に収納しているので、閉鎖時にハンドルの基部２９ａと室内側枠部１５との干渉を防止できる。  
ハンドル２９の基部２９ａをハンドルカバー５１の凹部に収納することで、図１（ａ）に示すように、戸先框２１の室内面と室内側枠部１５の室外面の間の隙間を、空気の流れが滞留して断熱性能の向上が期待できる程度の最小限に抑えることができ、断熱性を向上できる。  
ハンドル台座３７は戸先框２１の室内側見付面に固定しているので、開き障子５の開閉に伴い、戸先框２１の内周面が見込み方向に引っ張られないため、ガラス室内面への止水材の密着性を変動させずに済み、安定したガラス周囲の止水性能を維持することができる。  
ハンドル台座３７は戸先框２１の室内側見付面に固定しているので、ハンドル２９のグリップ部を開き障子５のガラスの室内面から容易に離隔でき、ハンドル２９の操作性を向上できる。また、ハンドル２９のグリップ部の必要屈曲寸法や屈曲角度等を最小限に抑えることができ、グリップ部のデザイン自由度を向上できる。これと併せてグリップ部の補強を比較的軽微なものにすることができる。  
図１（ａ）に示すように、室内側枠部１５には、溝４９の外周側に戸先框２１の室内側框部２７に当接する気密材４８を設けているので、室内側枠部１５の上下に亘って戸先框２１の室内側框部２７と連続した気密を図ることができる。  
【００２０】
図２に示すように、室内側枠部１５には、室外側に開放した溝４９を形成すると共に、溝４９には長手方向中間部にハンドルカバー５１を設けて、ハンドルカバー５１の上下には、蓋部材５３で溝４９の開口を閉じているから、ハンドルカバー５１の形状を、成型した部品で形成できるため、サッシ毎に室内側枠部１５に切削等で煩雑な掘り込み加工を行なわず、容易に安定した形状のハンドル基部２９ａ（図１（ａ）参照）の収容を図ることができる。  
しかも、ハンドルカバー５１は、ハンドル台座３７の形状に合わせての形成が容易にできる。  
図３（ｇ）に示すように、ハンドルカバー５１の内周側壁５１ｂにおいて、カバー材５７を取付ける欠損部５５は、容易で安価なプレス加工で打ち抜くことができ、打ち抜いた残存部の形状に合わせるように、収容部品を成型することで、収容部を容易に形成でき、意匠よく納めることができる。  
【００２１】
図２に示すように、室内側枠部１５のハンドルカバー５１は内周側に柔軟なカバー材５７を設けて、ハンドル２９の基部２９ａを収納しているので、戸先框２１の内周端面までハンドル台座３７が位置していても、製造誤差やサッシの変形などでハンドルカバー５１とハンドル台座３７が干渉することがなく、開き障子５の円滑な開閉を実現できる。このため見付けの小さい戸先框２１に対して、配置できるハンドル台座３７の見付け幅を大きくすることができる。  
ハンドルカバー５１の内周側壁５１ｂに弾性変形可能なカバー材５７を設けて、カバー材５７からハンドル２９を枠体３の内周側に延出させているので、意匠と操作性の両方を向上することができる。また、内観視だけでなく、戸先框２１の内周側を見た側面視でもハンドル台座３７の一部を遮蔽でき、意匠性を向上させることができる。  
カバー材５７に切り込み５９を形成しているので、挿通したハンドル２９の基部２９ａの動きに容易に追従しながら、閉鎖を維持して意匠を向上することができる。特に、放射状に複数の切り込み５９を入れることで、ハンドル２９の回動にも容易に追従させることができる。  
図３（ｅ）に示すように、カバー材５７は、ハンドルカバー５１の内周側壁５１ａにおいて、外壁６１と内壁６３とで挟持しているから、別途挟持プレートを用意する必要がなく、部品点数を削減して製造性を向上できる。  
カバー材５７は、予め形成した孔を嵌合部６４ａに嵌合することで位置決めされているため、カバー材５７を接着する必要がなく、カバー材５７の露出と保持の両方を容易に実現できる。更に、カバー５７の抜け出しやズレを、より確実に防止することができる。  
ハンドルカバー５１には、その天壁５１ａ及び底壁５１ｄに、それぞれ対応する蓋部材５３を係合する係合片５４が設けてあるから、溝４９の長手方向中間部に配置するハンドルカバー５１をその上下に設ける蓋部材５３と一体的に組み立てておくことができる。そして、一体に組み立てた状態で溝４９に配置できるため、製造及び組み立てが容易である。  
図３（ａ）に示すように、室内側枠部１５の溝４９には室外側に突設する突部４９ａを形成しており、図３（ｉ）（ｊ）に示すように、ハンドルカバー５１には、突部４９ａに嵌合する段部５１ｅを形成しているから、ハンドルカバー５１のがたつきを防止でき、安定して取付けできるのでハンドルカバー５１の上下寸法を長くできるから、ハンドル台座３７の上下寸法を自由に設計できる。  
【００２２】
次に、グレモン錠６にかかる作用効果について説明する。  
図１（ａ）（ｂ）に示すように、戸先框（框）２１の外周面に、ハンドル２９の回動軸４１と連動する作動片４３を突出し、スライダ３３には見込み方向に連結材４５を取付けて、作動片４３と連結材４５を連結する構成であるから、ハンドル２９の回動軸４１から見込方向に離れた位置にスライダ３３を設けることができるので、見付け寸法が小さい框でも、グレモン錠６を取付けできる。  
【００２３】
作動片４３と連結材４５は離脱不能に連結されているから、バール等で連結材４５を捻られても作動片４３から離れることがないので、不正解錠を防止できる。  
図１（ａ）に示すように、戸先框２１を金属製の室外側框部２５と樹脂材製の室内側框部２７とで構成してあり、室外側框部２５にスライダ３３及びロックピン３１を設け、室内側框部２７にはハンドル台座３７を設けてあり、作動片４３は外周面から突出してあるので、樹脂製の室内側框部２７に作動片４３が回動を可能とする切除部を形成するだけで済み、加工及び組み付けが容易にできる。  
ハンドル台座３７の裏板４７を金属製の室外側框部２５に固定しているから、ハンドル台座３７を樹脂製の室内側框部２７に取付けて、ハンドル台座３７にかかる負荷を室外側框部２５にあずけることができる。  
図１（ａ）（ｂ）及び図４に示すように、作動片４３は連結材４５の挿通孔４５ａに挿通して先端を曲げて抜け止め部４３ａとしてあるから、加工、組み立て及び離脱不能な連結が容易にできる。  
グレモン錠６の組み立てに際しては、室内側框部２７は、室外側框部２５との取付部の一部を切除してユニット化した裏板４７とハンドル軸受け３２を室内側框部２７内に配置するが、室内側框部２７の切除した部分は、スライダ３３のガイド部３９で遮蔽され、戸先框２１の外周側から見えないので、外観が良いと共に戸先框２１への組み付け性が良い。  
【００２４】
以下に本発明の他の実施の形態を説明するが、以下に説明する実施の形態において、上述した第１実施の形態と同一の作用効果を奏する部分には同一の符号を付することによりその部分の詳細な説明を省略し、以下の説明では第１実施の形態と主に異なる点を説明する。  
図７に第２実施の形態にかかるサッシ１に用いられるグレモン錠６の回動軸４１と、作動片４３と、連結材４５と、裏板４７の連結状態を示す。  
この第２実施の形態では、裏板４７がハンドル軸受け３２を内蔵するハウジングに一体に連結されていることが第１実施の形態と異なっている。
その他の構成は、第１実施の形態と同様である。  
この第２実施の形態によれば、第１実施の形態と同様の作用効果を奏することができると共に、裏板４７をハンドル軸受け３２を内蔵するハウジングに一体にしているので、グレモン錠６の組み立て性が良い。  
【００２５】
図８〜図１０に第３実施に用いられるグレモン錠６の構成を示す。この第３実施の形態かかるグレモン錠６では、ハンドルの回動軸４１に取付けたピニオンとこれに歯合するラックにより、図１０（ｂ）に示すように、作動片４３は直線状の案内溝７０に案内されつつ上下に直線運動をする。  
図１０（ａ）に示すように、作動片４３には、連結材４５の係合片６９ａ（後述する）を挿入する挿入孔６８が形成されている。  
一方、図１０（ｂ）に示すように、連結材４５には、室内側に向けて突設する上下３つの突片が形成してあり、これらの３つの突片のうち中央の突片が係合片６９ａであり、係合片６９ａを作動片４３の挿通孔４５ａに挿入して、スライダ３３にねじ７１で固定されている。  
【００２６】
この第３実施の形態によれば、上述した第１実施の形態の抜け止め部４３ａの形成及び作動片４３の回動動作を除いて、第１実施の形態と同様の作用効果を奏すると共に、図１０（ａ）（ｂ）に示すように、連結材４５は作動片４３の挿入孔６８に室外側から室内側へ挿入して連結されているので連結材４５が框外周側及び内周側への抜けに対して、離脱不能に連結することができる。  
連結材４５はスライダ３３にねじ７１で固定する前に、連結材４５の係合片６９ａを作動片４３の挿入孔６８に挿入するだけで、連結材４５が框外周方向への移動を規制することができる。  
作動片４３及び連結材４５は上下にスライドするだけであり、第１実施の形態や第２実施の形態におけるグレモン錠６のように、戸先框２１の外周面からの突出寸法が変位しないため、戸先側縦枠１１の内周面又は内周面における他の部材や部品との干渉を防止できる。また、かかる干渉を防止するために、大きなクリアランスを確保する必要がない。
第３実施の形態では作動片４３や連結材４５には抜け止め部４３ａを形成する為の曲げ作業が不要であるから、取付け作業がし易い。  
【００２７】
本発明は、上述した実施の形態に限らず、本発明の要旨を逸脱しない範囲で種々変形可能である。  
例えば、サッシ１はたて辷り出しサッシに限らず、外開きサッシや、内開きサッシ、回転サッシ等、障子が枠に対して内外方向に開くサッシであれば良い。  
枠体３は室外側枠部１３を金属製とし、室内側枠部１５を樹脂製とし、開き障子５の各框１７、１９、２１、２３は室外框部２５を金属製とし、室内側框部２７を樹脂製としたが、これに限らず、室外側枠部１３及び室内側枠部１５を共に金属製としたり、樹脂製としても良いし、開き障子５においても室外框部２５及び室内側框部２７を共に金属製としたり、樹脂製としても良く、枠体３や框１７、１９、２１、２３の材質は制限されない。
グレモン錠６において、ロックピン３１を戸先側縦枠１１に取付け、係合金具３５をスライダ３３に取付けて、係合金具３５が上下動してロックピン３１に係合する構成にしても良い。  
図３に示すように、ハンドルカバー５１において、カバー材５７は、嵌合部６４ａに孔を挿通して外壁６１と内壁６３とに挟持したが、更に接着剤や両面テープを併用して固定しても良い。  
請求項１に記載のハンドルはグレモン錠のハンドルに限らず、障子の開閉ハンドルであっても良い。  
【符号の説明】
【００２８】
１    サッシ
３    枠体
５    開き障子
１１  戸先框
１５  室内側枠部
２９  グレモンハンドル（ハンドル）
３７  ハンドル台座
【図１】
2018131859.tif 000003
【図２】
2018131859.tif 000004
【図３】
2018131859.tif 000005
【図４】
2018131859.tif 000006
【図５】
2018131859.tif 000007
【図６】
2018131859.tif 000008
【図７】
2018131859.tif 000009
【図８】
2018131859.tif 000010
【図９】
2018131859.tif 000011
【図１０】
2018131859.tif 000012